(57)【要約】【課題】  スリム型光ディスクドライブ及びこれを装着した携帯型コンピュータを提供する。【解決手段】  上部フレーム及び下部フレームを含む本体と、光ディスクを回転させるスピンドルモータ及び光ディスクにアクセスして情報を記録及び／または再生する光ピックアップを搭載して本体にローディング／アンローディングされるように設置されるトレイと、トレイの前面に設けられるフロントパネルと、を含み、上部フレームの先端部は荷重により下方に曲がらないようにフロントパネルにより支持されることを特徴とするスリム型光ディスクドライブ。これにより、上部フレームの先端部をフロントパネルで支持して荷重による上部フレームの変形を減らせ、ドライブの構造強度を向上でき、かつ上部フレームの変形により光ディスクが損傷を画期的に減らせる。【選択図】  図３
2004234831.tif 000002
【特許請求の範囲】
【請求項１】
携帯型コンピュータに装着されるスリム型光ディスクドライブにおいて、
上部フレーム及び下部フレームを含む本体と、
光ディスクを回転させるスピンドルモータ及び前記光ディスクにアクセスして情報を記録及び／または再生する光ピックアップを搭載して前記本体にローディング／アンローディングされるように設置されるトレイと、
前記トレイの前面に設けられるフロントパネルと、を含み、
前記上部フレームの先端部は荷重により下方に曲がらないように前記フロントパネルにより支持されることを特徴とするスリム型光ディスクドライブ。
【請求項２】
前記フロントパネルの少なくとも一部分は前記荷重が前記携帯型コンピュータに伝えられるように前記携帯型コンピュータにより支持されることを特徴とする請求項１に記載のスリム型光ディスクドライブ。
【請求項３】
前記フロントパネルには前記上部フレームの先端部側に延びた支持部が備えられ、前記支持部は前記トレイがローディング位置にある時に前記先端部の下方に位置することを特徴とする請求項１に記載のスリム型光ディスクドライブ。
【請求項４】
前記上部フレームの先端部には前記フロントパネル側に延びた少なくとも一つの突出部が形成され、前記フロントパネルには前記突出部が差込まれる差込部が備えられたことを特徴とする請求項１に記載のスリム型光ディスクドライブ。
【請求項５】
前記上部フレームの先端部は前記フロントパネル側に延び、前記フロントパネルには前記先端部が差込まれる差込部が備えられたことを特徴とする請求項１に記載のスリム型光ディスクドライブ。
【請求項６】
前記上部フレームの先端部は前記フロントパネルによって支持されることによって荷重によって変形されないようになっていることを特徴とする請求項１に記載のスリム型光ディスクドライブ。
【請求項７】
スリム型光ディスクドライブを装着した携帯型コンピュータにおいて、
前記スリム型光ディスクドライブは、上部フレーム及び下部フレームを含む本体と、光ディスクを回転させるスピンドルモータ及び前記光ディスクにアクセスして情報を記録及び／または再生する光ピックアップを搭載して前記本体にローディング／アンローディングされるように設置されるトレイと、前記トレイの前面に結合されて前記上部フレームを支持するフロントパネルと、を含み、
前記スリム型光ディスクドライブが装着されるスロット内には前記スリム型光ディスクドライブのフロントパネルと結合される結合部が設けられたことを特徴とする携帯型コンピュータ。
【請求項８】
前記上部フレームの先端部は前記フロントパネルによって支持されることによって荷重によって変形されないようになっていることを特徴とする請求項７に記載の携帯型コンピュータ。
【請求項９】
前記フロントパネルの少なくとも一部分は前記荷重が前記携帯型コンピュータに伝えられるように前記携帯型コンピュータにより支持されることを特徴とする請求項７に記載の携帯型コンピュータ。
【請求項１０】
前記フロントパネルは、
前記上部フレームの先端部を支持する少なくとも一つの第１支持部と、
前記結合部に結合される第２支持部と、を具備して、
前記トレイが前記本体にローディングされた時、前記第１支持部は前記上部フレームの先端部を下方から支持し、前記第２支持部は前記結合部に結合されて前記上部フレームに加えられる荷重を前記携帯型コンピュータに伝達するようになっていることを特徴とする請求項７に記載の携帯型コンピュータ。
【請求項１１】
前記上部フレームの先端部には前記フロントパネル側に延びて前記フロントパネルに結合される突出部が備えられたことを特徴とする請求項７に記載のスリム型光ディスクドライブ。
【請求項１２】
前記フロントパネルは、
前記突出部が差込まれる差込部と、
前記結合部に結合される第２支持部と、を具備して、
前記トレイが前記本体にローディングされた時、前記突出部は前記差込部に差込まれ、前記第２支持部は前記結合部に結合されて前記上部フレームに加えられる荷重を前記携帯型コンピュータに伝達するようになっていることを特徴とする請求項１１に記載の携帯型コンピュータ。
【請求項１３】
前記第２支持部と前記結合部とは相補的な形態になっていることを特徴とする請求項１０または１２に記載の携帯型コンピュータ。
【請求項１４】
前記結合部は陥没した形態であり、前記第２支持部は前記フロントパネルの背面から突出した形態であることを特徴とする請求項１３に記載の携帯型コンピュータ。
【請求項１５】
前記第２支持部は陥没した形態であり、前記結合部は前記第２支持部に差込まれるように突出した形態であることを特徴とする請求項１３に記載の携帯型コンピュータ。
【発明の詳細な説明】
【技術分野】
【０００１】
本発明は光ディスクドライブに係り、特にノート型パソコンをはじめとする携帯型機器に装着されるスリム型光ディスクドライブ及びこれを装着した携帯型コンピュータに関する。
【背景技術】
【０００２】
一般的に光ディスクドライブは、ＣＤ（ｃｏｍｐａｃｔ ｄｉｓｃ）またはＤＶＤ（ｄｉｇｉｔａｌ ｖｉｄｅｏ ｄｉｓｃ）などの光ディスクに／から情報を記録及び／または再生する装置であって、回転する光ディスクの記録面に光ディスクの半径方向に摺動される光ピックアップからビームを放射して情報を記録／再生する。特に、スリム型光ディスクドライブはノート型パソコンなどの携帯用機器に使われるために非常に薄く製作される。
【０００３】
図１は、従来のスリム型光ディスクドライブを示した斜視図であり、図２は、図１に図示した従来のスリム型光ディスクドライブがノート型パソコンに装着された状態を示した斜視図である。
【０００４】
図１を参照すれば、本体１０には光ディスクＤを回転させるスピンドルモータ４０と、光ディスクＤにアクセスして情報を再生／記録する光ピックアップ５０とが搭載されたトレイ３０が設置される。トレイ３０は図面の矢印方向に摺動しつつ本体１０にローディング／アンローディングされる。本体１０には光ディスクドライブの動作を制御する主制御ボード（図示せず）が設置される。参照符号１１及び１２はそれぞれ上部フレーム及び下部フレームを示す。
【０００５】
スリム型光ディスクドライブ６０は、図２に図示するように携帯型コンピュータ７０に装着される。近来の電子製品の軽薄短小化の傾向によってノート型パソコンをはじめとする携帯型コンピュータも軽薄短小化しつつある。これに相応するために光ディスクドライブも薄くしようとする多様な努力が行なわれている。
【０００６】
例えば、本体１０を形成する上部フレーム１１及び下部フレーム１２は厚さ１．０ｍｍ以下の鉄板で製作される。また、本体１０の内部に摺動されるトレイ３０も本体１０と僅か１ｍｍ程度の狭いギャップを保持している。また、スピンドルモータ４０により回転される光ディスクＤは上部フレーム１１とのギャップが１〜２ｍｍ程度にすぎない。
【０００７】
本体１０を形成する上部フレーム１１及び下部フレーム１２の厚さが薄くなるにつれて光ディスクドライブの構造強度も弱くなる。図２に図示したように、光ディスクドライブ６０が携帯型コンピュータ７０に装着されれば、光ディスクドライブ６０は普通キーボード７１の下方に位置する。この状態でキーボード７１が押えられれば、この時に作用する荷重Ｆによりキーボード７１が下方に曲がりながら上部フレーム１１を押さえうる。前記のように上部フレーム１１は厚さの薄い鉄板で製作されることが一般的であるが、この荷重Ｆにより下方にある程度曲がりうる。特に、図１に点線で図示したように上部フレーム１１の先端部１３の曲がり量が最も大きい。なぜなら、上部フレーム１１の他の先端部１４、１５、１６は直角に折り曲げられているが、先端部１３はトレイ３０が出入するためにオープンされているためである。キーボード７１に無理な荷重が加えられてこの上部フレーム１１の曲がり量が光ディスクＤと上部フレーム１１間のギャップより大きくなれば、上部フレーム１１と光ディスクＤとが接触するようになる。もし、光ディスクＤが回転される途中でこのような接触がおきるならば、光ディスクＤに深刻な損傷を負わせるおそれがある。
【発明の開示】
【発明が解決しようとする課題】
【０００８】
本発明は前記の問題点を解決するためになされたものであり、上部フレームの先端部を支持して上部フレームの曲がりによる光ディスクの損傷を防止できるように改善されたスリム型光ディスクドライブ及びこれを装着した携帯型コンピュータを提供するところにその目的がある。
【課題を解決するための手段】
【０００９】
前述した目的を達成するための本発明のスリム型光ディスクドライブは、携帯型コンピュータに装着されるスリム型光ディスクドライブにおいて、上部フレーム及び下部フレームを含む本体と、光ディスクを回転させるスピンドルモータ及び前記光ディスクにアクセスして情報を記録及び／または再生する光ピックアップを搭載して前記本体にローディング／アンローディングされるように設置されるトレイと、前記トレイの前面に設けられるフロントパネルと、を含み、前記上部フレームの先端部は荷重により下方に曲がらないように前記フロントパネルにより支持されることを特徴とする。
【００１０】
ここで、前記フロントパネルの少なくとも一部分は前記荷重が前記携帯型コンピュータに伝えられるように前記携帯型コンピュータにより支持されることが望ましい。
【００１１】
前記上部フレームの先端部を支持するために、前記フロントパネルには前記上部フレームの先端部側に延びた支持部が備えられ、前記支持部は前記トレイがローディング位置にある時に前記先端部の下方に位置する。また、前記上部フレームの先端部には前記フロントパネル側に延びた少なくとも一つの突出部が形成され、前記フロントパネルには前記突出部が差込まれる差込部が備えられる。また、前記上部フレームの先端部は前記フロントパネル側に延び、前記フロントパネルには前記先端部が差込まれる差込部が備えられる。
【００１２】
前述した目的を達成するための本発明の携帯型コンピュータは、スリム型光ディスクドライブを装着した携帯型コンピュータにおいて、前記スリム型光ディスクドライブは、上部フレーム及び下部フレームを含む本体と、光ディスクを回転させるスピンドルモータ及び前記光ディスクにアクセスして情報を記録及び／または再生する光ピックアップを搭載して前記本体にローディング／アンローディングされるように設置されるトレイと、前記トレイの前面に結合されて前記上部フレームを支持するフロントパネルと、を含み、前記スリム型光ディスクドライブが装着されるスロット内には前記スリム型光ディスクドライブのフロントパネルと結合される結合部が設けられることを特徴とする。
【発明の効果】
【００１３】
本発明によるスリム型光ディスクドライブによれば、次のような効果を得られる。
上部フレームの先端部をフロントパネルで支持して荷重による上部フレームの変形を減らすことができる。したがって、光ディスクドライブの構造強度を向上させることができ、かつ上部フレームの変形により光ディスクが損傷する危険を画期的に減らすことができる。
【発明を実施するための最良の形態】
【００１４】
以下添付した図面を参照しながら本発明の望ましい実施例を詳細に説明する。
図３は、本発明によるスリム型光ディスクドライブの一実施例を示した分解斜視図であり、図４は、図３に図示したスリム型光ディスクドライブが携帯型コンピュータに装着される態様を示した分解斜視図である。図５は、図４のＩ−Ｉ’断面図である。
【００１５】
図３を参照すれば、下部フレーム１２０及び上部フレーム１１０ａを含む本体１００ａが図示されている。本体１００ａにはトレイ１３０がローディング／アンローディングされるように設置される。
【００１６】
下部フレーム１２０及び上部フレーム１１０ａは、例えば鉄板、アルミニウム板などの金属板材を板金加工して製作できる。スリム型光ディスクドライブの重さを減らすためには比重の小さなアルミニウム板を使用することが望ましい。上部フレーム１１０ａの先端部１１１は図３及び図５に図示したようにＵ状に折り曲げられることが望ましい。このように上部フレーム１１０ａの先端部１１１をＵ状に折り曲げることは、先端部１１１の屈曲強度を向上させるための方案の一例でえあって、これによって本発明の範囲が限定されることではない。
【００１７】
下部フレーム１２０には“コ”状の第１レール１５０が設置される。第１レール１５０の内側空間にはまた“コ”状の第２レール１６０が摺動するように結合され、第２レール１６０の内側空間にはトレイ１３０の両端部１３２、１３３が挿入される。このような構成により、トレイ１３０がアンローディングされる時にはまず第２レール１６０がトレイ１３０と共に第１レール１５０に沿って摺動して出る。アンローディングがある程度進められれば第２レール１６０は止め手段（図示せず）によりかかってそれ以上摺動しない。この時からはトレイ１３０が第２レール１６０に沿って摺動し続ける。トレイ１３０がローディングされる時には前記の逆順に作動し、場合によっては第２レール１６０がトレイ１３０と共に第１レール１５０内に先に摺動して入り、その後にトレイ１３０が第２レール１６０内に摺動して入ることもできる。
【００１８】
トレイ１３０は本体１００ａにローディング／アンローディングされる時、上部フレーム１１０ａ及び下部フレーム１２０と干渉しないように上部フレーム１１０ａ及び下部フレーム１２０と上下方向に一定な間隔を維持している。トレイ１３０にはスピンドルモータ１７０及び光ピックアップ１８０が設置される。スピンドルモータ１７０は光ディスクＤを回転させるものであって、その回転軸にターンテーブル１７１が設置されている。光ディスクＤはターンテーブル１７１に載置される。光ピックアップ１８０は駆動モータ（図示せず）により駆動されて光ディスクＤの半径方向に摺動しつつ光ディスクＤの記録面にアクセスして情報を記録及び／または再生する。
【００１９】
本体１００ａには主制御ボード（図示せず）が設置される。主制御ボードは光ディスクドライブの作動を全体的に制御するものであって、ＦＰＣ（ｆｌｅｘｉｂｌｅ ｐｒｉｎｔｅｄ ｃｉｒｃｕｉｔ）（図示せず）を通じて光ピックアップ１８０、スピンドルモータ１７０を含んでトレイ１３０に設置される電気部品と電気的に連結される。また、光ディスクドライブは、トレイ１３０がローディングされた状態で本体１００ａにロッキングするロッキング装置（図示せず）と、トレイ１３０のロッキングが解除された時、トレイ１３０がアンローディングされる方向に若干摺動させるプッシング装置をさらに具備する。
【００２０】
トレイ１３０の前面１３５にはフロントパネル１４０ａが結合される。トレイ１３０の前面１３５にはフロントパネル１４０ａが装着されるように装着部１３６が備えられる。フロントパネル１４０ａには装着部１３６に結合されるようにフック１４１が備えられる。本実施例のフロントパネル１４０ａは、四角形に貫通形成された装着部１３６にフック１４１が差込まれることによってトレイ１３０に結合される。
【００２１】
図４に図示するように、携帯型コンピュータ７０には光ディスクドライブ２００ａが装着されるようにスロット７２が備えられる。光ディスクドライブ２００ａはこのスロット７２に装着されることによって携帯型コンピュータ７０と接続されて、光ディスクＤに記録された情報を読み込んで携帯型コンピュータ７０に伝達するか、携帯型コンピュータ７０から伝えられた情報を光ディスクＤに記録する。フロントパネル１４０ａは、光ディスクドライブ２００ａが携帯型コンピュータ７０に装着された時に携帯型コンピュータ７０の外観の一部となる。フロントパネル１４０ａはその大きさ及び形態をスロット７２の入口形状と携帯型コンピュータ７０の外観の形状及び色相などを考慮して製作する。
【００２２】
フロントパネル１４０ａには上部フレーム１１０ａの先端部１１１を支持する第１支持部１４２が備えられる。第１支持部１４２は、トレイ１３０が本体１００ａにローディングされた時に先端部１１１を下方から支持するようにフロントパネル１４０ａの背面１４４から延びて形成される。第１支持部１４２は図５に図示したように、トレイ１３０がローディング／アンローディングされる時、先端部１１１と衝突せずにスムーズにローディング／アンローディングされるように先端部１１１と接触するか、またはそれより若干下方に位置するように形成されることが望ましい。また、第１支持部１４２の端部は面取りまたはラウンド処理されることが望ましい。図３にはフロントパネル１４０ａの中央部に１つの第１支持部１４２が形成されているが、これにより本発明の範囲が限定されることはなく、必要に応じて２つまたはそれ以上の第１支持部１４２を形成することもできる。
【００２３】
フロントパネル１４０ａは少なくとも一部分が携帯型コンピュータ７０により支持されるように設けられることもある。
【００２４】
このために、トレイ１３０がローディング位置にある時、フロントパネル１４０ａの下面（図５の１４５）の一部または全部をスロット７２入口の下側面７４により支持させることがある。また他の方案としては、フロントパネル１４０ａに第２支持部１４３がさらに備えられることがある。第２支持部１４３は、光ディスクドライブ２００ａが携帯型コンピュータ７０に装着されてトレイ１３０がローディング位置にある時に携帯型コンピュータ７０に設けられた結合部７３と結合される。第２支持部１４３と結合部７３とは相補的な形状を有するように形成される。すなわち、結合部７３は、図５に図示したように陥没形成され、第２支持部１４３はそれに差込まれるように背面１４４から突出形成される。その反対に、第２支持部が陥没形成され、結合部がそれに差込まれるように突出形成されることもある。
【００２５】
さて、このような構成による作用効果を説明する。
図４に図示したように、光ディスクドライブ２００ａは携帯型コンピュータ７０のスロット７２に装着されることによって携帯型コンピュータ７０と相互情報を交換できるようになる。トレイ１３０がアンローディングされた状態で光ディスクＤを載せてトレイ１３０を本体１００ａ内部に押し入れる。それにより、トレイ１３０は前述したように、第１レール１５０及び第２レール１６０に沿って摺動する。トレイ１３０がローディング位置まで摺動すればロッキング装置（図示せず）により本体１００ａにロッキングされる。
【００２６】
トレイ１３０がローディング位置にある時、第１支持部１４２は図５に図示したように、上部フレーム１１０ａの先端部１１１と接触するかまたは若干の間隔をおいてその下方に位置する。図５に図示したように、携帯型コンピュータ７０に加えられる衝撃や荷重が所定の限度を超える場合には携帯型コンピュータ７０の外観やキーボード７１が変形されつつ上部フレーム１１０ａを曲げるおそれがある。しかし、本実施例によれば、第１支持部１４２が先端部１１１を下方から支持しているために上部フレーム１１０ａが容易に曲がらない。
【００２７】
第２支持部１４３がさらに備えられてフロントパネル１４０ａが携帯型コンピュータ７０により支持される場合には、第１支持部１４２を通じてフロントパネル１４０ａに伝えられた荷重が携帯型コンピュータ７０に再び伝えられる。結果的に上部フレーム１１０ａの先端部１１１は携帯型コンピュータ７０により支持される。また、第２支持部１４３を通じてトレイ１３０の振動も携帯型コンピュータ７０に伝えられる。したがって、構造的にさらに安定した光ディスクドライブの具現が可能である。
【００２８】
表１は、図３に図示したように上部フレーム１１０ａのＡ、Ｂ、Ｃ３箇所に荷重を加えつつ曲がり量と荷重との関係を測定したものである。Ｃ位置はトレイ１３０がローディングされた時の光ディスクＤの中心位置である。◎は第１支持部１４２が備えられた場合であり、●はそうでない場合を示す。
【００２９】
【表１】
2004234831.tif 000003
【００３０】
表１を見れば、曲がりに最も脆弱なＡ部は、第１支持部１４２を具備する場合にはそうでない場合に比べて約２倍以上の荷重に耐えられることが分かる。また、Ｂ及びＣ部分も第１支持部１４２を具備する場合にはそうでない場合に比べてさらに大きい荷重に耐えられることが分かる。
【００３１】
図３に図示した実施例では、フロントパネル１４０ａがトレイ１３０の前面１３５に近く位置する。したがって、支持部１４２を先端部１１１側に延ばすことによって先端部１１１を支持することができる。場合によっては光ディスクドライブが携帯型コンピュータに装着された時、トレイ１３０の前面１３５とスロット７２の入口との距離が遠い場合もある。前記のようにフロントパネルは携帯型コンピュータの外観形状によって製作されるが、この場合には支持部１４２が長すぎるおそれがある。したがって、このような場合には図６ないし図８に図示したような実施例が可能である。
【００３２】
図６は本発明によるスリム型光ディスクドライブの第２実施例を示した分解斜視図であり、図７は図６の図５に該当する断面図である。
【００３３】
図６及び図７を参照すれば、下部フレーム１２０及び上部フレーム１１０ｂを含む本体１００ｂが図示されている。本体１００ｂにはトレイ１３０がローディング／アンローディングされるように設置される。トレイ１３０の前面１３５にはフロントパネル１４０ｂが結合される。フロントパネル１４０ｂにはその背面１４４からトレイ１３０の前面１３５側に延びた延長部１４７が形成され、この延長部１４７の両端部には装着部１３６と結合されるフック１４１が形成される。延長部１４７はフロントパネル１４０ｂがトレイ１３０に結合される時に前面１３５に接触される。
【００３４】
上部フレーム１１０ｂの先端部１１１にはフロントパネル１４０ｂ側に延びた突出部１１２が形成される。フロントパネル１４０ｂにはこの突出部１１２が差込まれる差込部１４６が形成される。本実施例では１つずつの突出部１１２及び差込部１４６が形成されているが、これによって本発明の範囲が限定されるのではなく、場合によって２つまたはそれ以上の突出部１１２及び差込部１４６を形成することもできる。突出部１１２は、図６に図示したようにＵ状に折り曲げられることが望ましいが、これによって本発明の範囲が限定されることではない。図６に図示した構成要素のうち図３に図示した構成要素と同じ構成要素についての説明は省略する。
【００３５】
このような構成によれば、トレイ１３０がローディング位置に摺動しつつ突出部１１２が差込部１４６に差込まれる。したがって、図３に図示した本発明によるスリム型光ディスクドライブの第１実施例と同じ効果を得られる。
【００３６】
図８は、本発明によるスリム型光ディスクドライブの第３実施例を示した分解斜視図である。
【００３７】
図８を参照すれば、下部フレーム１２０及び上部フレーム１１０ｃを含む本体１００ｃが図示されている。本体１００ｃにはトレイ１３０がローディング／アンローディングされるように設置される。トレイ１３０の前面１３５にはフロントパネル１４０ｂが結合される。図８に図示した構成要素のうち図３及び図６に図示した構成要素と同じ構成要素についての説明は省略する。
【００３８】
上部フレーム１１０ｃの先端部１１３は、図３に図示した先端部１１１より前方に全体的に延びて形成される。先端部１１３は図８に図示したようにＵ状に折り曲げられることが望ましいが、これによって本発明の範囲が限定されることではない。フロントパネル１４０ｂにはトレイ１３０がローディング位置にある時、先端部１１３が差込まれるように差込部１４６が備えられる。このように先端部１１３全体が延びれば、図６に図示したように一部だけ延びて突出部１１２を形成する場合より屈曲強度面でさらに有利である。
【００３９】
本実施例では先端部１１３の中央を支持する一つの差込部１４６が形成されているが、これによって本発明の範囲が限定されることではない。場合によって適当な間隔をおいて２つまたはそれ以上の差込部１４６を形成することもできる。
【００４０】
このような構成によれば、トレイ１３０がローディング位置に摺動しつつ先端部１１３が差込部１４６に差込まれる。したがって、図３及び図６に図示した本発明によるスリム型光ディスクドライブの第１、第２実施例と同じ効果を得られる。
【００４１】
本発明は前記に説明され、かつ図面に例示されたものにより限定されることではなく、特許請求の範囲内でさらに多くの変形及び変容例が可能であるということはもちろんである。
【産業上の利用可能性】
【００４２】
本発明はノート型パソコンをはじめとする携帯型機器に装着されるスリム型光ディスクドライブ及びスリム型光ディスクドライブを装着できるようになっている携帯型機器に適用できる。
【図面の簡単な説明】
【００４３】
【図１】従来のスリム型光ディスクドライブを示した斜視図である。
【図２】図１に図示された従来のスリム型光ディスクドライブがノート型パソコンに装着された状態を示した斜視図である。
【図３】本発明によるスリム型光ディスクドライブの第１実施例を示した分解斜視図である。
【図４】図３に図示されたスリム型光ディスクドライブが携帯型コンピュータに装着される態様を示した分解斜視図である。
【図５】図４のＩ−Ｉ’断面図である。
【図６】本発明によるスリム型光ディスクドライブの第２実施例を示した分解斜視図である。
【図７】図６の図５に該当する断面図である。
【図８】本発明によるスリム型光ディスクドライブの第３実施例を示した分解斜視図である。
【符号の説明】
【００４４】
１００ａ  本体
１１０ａ  上部フレーム
１１１  上部フレームの先端部
１２０  下部フレーム
１３０  トレイ
１３２、１３３  トレイの端部
１３５  トレイの前面
１３６  装着部
１４０ａ  フロントパネル
１４１  フック
１４２  第１支持部
１４３  第２支持部
１４４  フロントパネルの背面
１５０  第１レール
１６０  第２レール
１７０  スピンドルモータ
１７１  ターンテーブル
１８０  光ピックアップ
２００ａ  光ディスクドライブ
Ｄ  光ディスク
【図１】
2004234831.tif 000004
【図２】
2004234831.tif 000005
【図３】
2004234831.tif 000006
【図４】
2004234831.tif 000007
【図５】
2004234831.tif 000008
【図６】
2004234831.tif 000009
【図７】
2004234831.tif 000010
【図８】
2004234831.tif 000011